【事件の表示】
　特許第２６６２１５０号「主筋の定着構造」の特許に対する特許異議の申立てについて、次のとおり決定する。
【結論】
　訂正を認める。
　特許第２６６２１５０号の特許を維持する。
【理由】
１．手続きの経緯
　本件特許第２６６２１５０号に係る出願は、平成４年１０月６日の出願であって、平成９年６月１３日に特許権の設定登録がなされ、その後、異議申立がなされ、取消理由が通知され、その指定期間内である平成１０年１０月１３日に訂正請求がなされ、訂正拒絶理由が通知され、その指定期間内である平成１１年１０月９日に訂正請求の補正がなされたものである。
ＩＩ．訂正請求の補正の適否
　平成１１年１０月９日付け訂正請求の補正は、訂正請求の要旨を変更するものではなく、特許法第１３１条第２項の規定に適合するので、当該訂正請求の補正を認める。
ＩＩＩ．訂正の要旨
　訂正事項ａ：特許請求の範囲の請求項１の「貫通又は不貫通に穿設し、」という記載を、特許請求の範囲の減縮を目的として、「不貫通に穿設し、」と訂正する。
　訂正事項ｂ：特許請求の範囲の請求項１の「ねじ鉄筋の中間部または端部にねじ込み」という記載を、特許請求の範囲の減縮を目的として、「ねじ鉄筋の端部にねじ込み」と訂正する。
　訂正事項ｃ：特許請求の範囲の請求項１の「板状の定着部」という記載を、特許請求の範囲の減縮を目的として、「円板状の定着部」と訂正する。
　訂正事項ｄ：特許請求の範囲の請求項１の「柱状の突出部」という記載を、特許請求の範囲の減縮を目的として、「六角柱状の突出部」と訂正する。
　訂正事項ｅ：明細書【０００８】段落の記載を、明瞭でない記載の釈明を目的として、次のように訂正する。
　「【課題を解決するための手段】
　この発明は円板状の定着部と、該定着部の片側表面に、前記定着部と一体的に直角な六角柱状の突出部を設け、該柱状の突出部に沿ってねじ鉄筋螺着用のねじを、不貫通に穿設し、かつ表面よりねじ孔に連通する充填材注入口を設けてなるねじ定着板を、ねじ鉄筋の端部にねじ込み、前記充填材注入口より充填材をねじ孔に注入し、ねじ定着板を主筋となるねじ鉄筋に固定し、この主筋を直交する主筋内に配筋してなる主筋の定着構造である。
　訂正事項ｆ：明細書【０００９】段落中の「図７」という記載を、明瞭でない記載の釈明を目的として、「図７はこの発明の変形例であり」と訂正する。
　訂正事項ｇ：明細書【００１４】段落中の「図９」という記載を、明瞭でない記載の釈明を目的として、「図９はこの発明の変形例であり」と訂正する。
　訂正事項ｈ：明細書【００３３】段落の記載を、明瞭でない記載の釈明を目的として、次のように訂正する。
　「（２）ねじ孔が貫通されない定着板を使用することによって位置決めが容易であり、ねじ鉄筋の端部にねじ込むと所定位置に停止し、ねじ定着板が梁主筋の引張方向のみならず、圧縮方向にも抵抗する。」
　訂正事項ｉ：明細書【００４０】段落の記載を、明瞭でない記載の釈明を目的として、次のように訂正する。
　「（９）接合部内のフープ筋の配筋を容易にする。さらに定着板部は円板状であるので、主筋からの張出し長さが一定で、治まりがよい。またねじ部の外形が六角柱状であるので主筋にねじ込む際工具を取付けやすい。」
ＩＶ．訂正の適否
　１．訂正の目的の適否、新規事項の有無、拡張・変更の存否
　訂正事項ａ、ｂ、ｃ及びｄは、特許請求の範囲の減縮に該当し、願書に添付された明細書の記載の範囲内のものであり、実質的に特許請求の範囲を拡張又は変更するものではない。
　訂正事項ｅ，ｆ，ｇ，ｈ及びｉは、明瞭でない記載の釈明に該当し、願書に添付された明細書の記載の範囲内のものであり、実質的に特許請求の範囲を拡張又は変更するものではない。
　２．独立特許要件について
　（１）訂正後発明
　訂正後の請求項１に係る発明は、訂正明細書及び図面の記載からみて、その特許請求の範囲の請求項１に記載された次のとおりのものである。
　「
円
六角
不貫通に穿設し、
ねじ鉄筋の端部にねじ込み、
　（２）引用文献
　これに対して、取消理由に引用した特公昭５２−４０１３０号公報（以下、「引用例１」という。）には、例えば、次のような記載がある。
　▲１▼「本発明は、このような凹凸の異型部を螺旋状とすることにより、これに螺合し得る雌螺管を用いて該鉄筋の接続ならびにアンカーとして使用することを可能とした異型鉄筋の接続方法を新しく創作したもの」公報第１頁左欄。
　▲２▼「さらに第５図のように、鉄筋１１の端部に適当の長さの端部膨出部分１２’を設けた雌螺管１２を螺入すれば、鉄筋方向の引張力に対して大きな引き抜き耐力を有するコンクリートアンカーとして利用できる。」公報第１頁右欄・
　前記▲１▼及び▲２▼の記載事項と図面の記載からみて、引用例１には、鉄筋の周壁部に螺旋状の凹凸の異型部を形成し、この異型鉄筋の端部を、内部に前記螺旋状異型鉄筋に螺合可能雌ねじを貫通して形成した端部膨出部分と直角に延びる柱状の突出部を形成した雌螺管に螺着したアンカーとして利用可能な異型鉄筋の接続方法が記載されている。
　同じく、取消理由に引用した特公昭６１−３０１０３号公報（以下、「引用例２」という。）には、例えば、次にような記載がある。
　▲３▼「従来ねじ継手の接続方法として、第１図のように、鋼棒とカップラーの雌雄ねじ間に充填剤（グラウト剤）を圧入充填し、硬化せしめる方法が採用されている。（実公昭５２−７８４３号公報）。この方法は一対の鋼棒Ａ，Ａ’の端部に予めカップラーＢを螺合させ、カップラー中央に設けた孔部Ｃから、特殊な充填装置を用いて充填剤Ｄを注入するものであり、充填装置の動力源として、通常油圧又は電動が用いられる。」公報第１頁左欄〜第１頁右欄。
　前記▲３▼の記載事項と図面の記載からみて、引用例２には、カップラー等のねじ継手を用いてねじ鉄筋を接続する際、カップラーに螺合されたねじ鉄筋とカップラー間の接続を強固にするために、カップラーに設けた孔部からカップラーの雌ねじとねじ鉄筋の雄ねじ間に充填剤を注入し固化させて、カップラーとねじ鉄筋を一体とする構成が記載されている。
　（３）対比
　本件訂正後発明と引用例１記載の発明を対比すると、引用例１記載の発明における、「端部膨出部を設けた雌螺管」は、本件訂正後発明における、「板状の定着部と、該定着部の片側表面に、前記定着部と一体的に直角な柱状の突出部を設け、該柱状の突出部に沿ってねじ鉄筋螺着用のねじを穿設してなるねじ定着板」に対応するものであるから、本件訂正後発明と引用例１記載の発明は、下記の一致点で両者の構成は一致し、下記の相違点で両者の構成は相違する。
　一致点：板状の定着部と、該定着部の片側表面に、前記定着部と一体的に直角な柱状の突出部を設け、該柱状の突出部に沿ってねじ鉄筋螺着用のねじを穿設してなるねじ定着板を、ねじ鉄筋にねじ込む鉄筋の定着構造とした点。
　相違点１：本件訂正後発明においては、ねじ定着板を、円板状の定着部と六角柱状の突出部としたのに対して、引用例１記載の発明においては、ねじ定着板を、膨出部分、柱状の突出部とし、それぞれ形状に関する構成が記載されていない点。
　相違点２：本件訂正後発明においては、ねじ定着板に鉄筋螺着用のねじを、不貫通に穿設したのに対して、引用例１記載の発明においては、ねじ定着板に鉄筋螺着用のねじを、貫通して穿設した点。
　相違点３：本件訂正後発明においては、ねじ定着板の表面に充填材注入孔を設けたのに対して、引用例１記載の発明においては、前記構成を有しない点。
　相違点４：本件訂正後発明においては、ねじ定着板を主筋となるねじ鉄筋に固定し、この主筋を直交する主筋内に配筋したのに対して、引用例１記載の発明においては、前記構成が記載されていない点。
　（４）判断
　前記相違点について検討する。
　相違点１について検討する。
　ねじ定着板の定着部の役割は、螺着される鉄筋の軸方向の引張力或いは圧縮力に抗するものであり、その表面積が大きい程それらの力に対する抵抗力が大きいことは自明の事項であり、円形が表面積を増加するのに最適な形状であることも又自明の事項である。
　また、突出部の形状を六角柱状とすることは、単にねじ定着板が鉄筋に螺着する際のスパナ等の工具との係合に適した形状であるということである。そうしてみると、引用例１記載の発明におけるねじ定着板の構成を、前記相違点１にあげた本件訂正後発明の構成のようにすることは、当業者が容易になしえる程度のものである。
　相違点２について検討する。
　定着板に鉄筋螺着用のねじを不貫通に穿設した場合と、定着板に鉄筋螺着用のねじを貫通して穿設した場合とのアンカーとしての機能について検討する。
　ねじ定着板の鉄筋螺着用のねじを不貫通に穿設し、ねじ鉄筋端部を前記不貫通のねじ穴の端部に衝合するように螺着すると、ねじ定着板は、引張方向の応力に対する抵抗として作用すると同時に、圧縮方向の応力に対しても大きな抵抗として作用する。一方、ねじ定着板の鉄筋螺着用のねじを貫通して穿設し、ねじ鉄筋端部を前記貫通したねじ穴に螺着すると、ねじ定着板は、引張方向の応力に対する抵抗としては不貫通の場合と同様に作用するが、圧縮方向の応力に対する抵抗力は、ねじ鉄筋の端部が定着板のねじ穴の端部に衝合していないため、不貫通の場合と比較し小さいものとなる。
　このように、本件訂正後発明におけるねじ定着板は、主筋の端部に用い、引張及び圧縮方向の応力に対し大きな抵抗力の要求される主筋用アンカーとして作用するのに対して、引用例１記載の発明におけるねじ定着板は、ねじ鉄筋の連結用のカプラーとしての用途と、引張方向の応力に対するアンカーとして用途に兼用可能なものであり、主筋の端部に螺着され主筋のアンカーとして要求される圧縮方向の応力に対する大きな抵抗力を有するものではなく、前記相違点２にあげた両者の構成の相違により、その作用・効果においても両者に差違を生じるものであるから、前記相違点２にあげた両者の構成の相違は、当業者が容易になし得るものとは認められないものである。
　従って、相違点３及び４についての検討をするまでもなく、本件訂正後発明は、引用例１及び２記載の発明に基づいて当業者が容易に発明をすることができたものではなく、特許出願の際、独立して特許を受けることができるものである。
　３．訂正の適否のまとめ
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する特許法第１２６条第２〜４項の規定に適合するので、当該訂正を認める。
Ｖ．異議申立について
　１．異議申立の理由の概要
　異議申立人は、証拠方法として甲第１〜６号証を提出し、本件特許の請求項１に係る発明の特許は、特許法第２９条第２項の規定に違反してなされたものであり、取り消されるべきものであると主張している。
　２．甲各号証の記載事項
　甲第１号証：特公昭５２−４０１３０号公報（以下、「引用刊行物１」という。）には、前記訂正の適否の独立特許要件についてのところで、引用例１として示したとおりのものが記載されている。
　甲第２号証：実開平１−１５４２１８号公報（以下、「引用刊行物２」という。）には、短尺筒状の本体の内周面に、接続すべき異形鉄筋外周の螺旋状凸部が螺合する螺旋溝を有し、該本体の軸線方向中央部に厚肉に形成され外方に膨出させられた厚肉膨出部が設けられ、該厚肉膨出部外周面が回転操作工具を係合させ得る断面多角形に形成されるとともに、厚肉膨出部を挟む本体の両端部外周面が断面円形に形成され、かつ上記厚肉膨出部には、外周面から内周面に貫通する通孔が形成され、しかも、全体がオーステンバー処理が施されれいることを特徴とする異形鉄筋用継手が記載されている。
　甲第３号証：特開昭５６−７３７５０号公報（以下、「引用刊行物３」という。）には、接続端部に雄ねじを有する２本のねじ鉄筋を、前記雄ねじに螺合する雌ねじを内面に有する継手用カプラーおよび該継手用カプラーの両端に配設したロックナットにより接続するに際し、前記ねじ鉄筋と継手用カプラーとの螺合間隙にグラウト材を充填して硬化せしめた後、前記ロックナットを緊締することを特徴とするねじ鉄筋継手部におけるねじれ防止方法が記載されている。
　甲第４号証：特公昭６１−３０１０３号公報（以下、「引用刊行物４」という。）には、前記訂正の適否の独立特許要件についてのところで、引用例２として示したとおりのものが記載されている。
　甲第５号証：「わかり易い建築講座１２．鉄骨と鉄筋コンクリート造」森粛之著、株式会社彰国社昭和４５年発行第１４２〜１６１頁（以下、「引用刊行物５」という。）には、「主筋同志が直交するコンクリート構造」及び「主筋に定着構造が必要な点。」が記載されている。
　甲第６号証：「ハンディブック建築」株式会社オーム社昭和４８年発行第１８４〜２０３頁（以下、「引用刊行物６」という。）には、「主筋同志が直交するコンクリート構造」及び「主筋に定着構造が必要な点。」が記載されている。
　３．対比・判断
　引用刊行物１〜６に記載の発明には、本件訂正後発明における、「ねじ定着板に鉄筋螺着用のねじを、不貫通に穿設した」という構成に関する直接の記載はなく、前記構成を示唆する記載もない。
　そして、本件訂正後発明は、前記構成により、明細書記載の効果を奏するものであるから、本件訂正後発明は、引用刊行物１〜６記載の発明に基づいて当業者が容易に発明をすることができたものとすることはできない。
　４．むすび
　以上のとおりであるから、異議申立人の主張する理由及び提出した証拠方法によっては、本件特許の請求項１に係る発明の特許を取り消すことはできない。
　また、他に、本件特許の請求項１に係る発明の特許を取り消すべき理由を発見しない。
　よって、結論のとおり決定する。
【異議決定日】
平成１１年１０月２６日（１９９９．１０．２６）
【訂正の要旨】
訂正の要旨
ＩＩＩ．訂正の要旨
　訂正事項ａ：特許請求の範囲の請求項１の「貫通又は不貫通に穿設し、」という記載を、特許請求の範囲の減縮を目的として、「不貫通に穿設し、」と訂正する。
　訂正事項ｂ：特許請求の範囲の請求項１の「ねじ鉄筋の中間部または端部にねじ込み」という記載を、特許請求の範囲の減縮を目的として、「ねじ鉄筋の端部にねじ込み」と訂正する。
　訂正事項ｃ：特許請求の範囲の請求項１の「板状の定着部」という記載を、特許請求の範囲の減縮を目的として、「円板状の定着部」と訂正する。
　訂正事項ｄ：特許請求の範囲の請求項１の「柱状の突出部」という記載を、特許請求の範囲の減縮を目的として、「六角柱状の突出部」と訂正する。
　訂正事項ｅ：明細書【０００８】段落の記載を、明瞭でない記載の釈明を目的として、次のように訂正する。
　「【課題を解決するための手段】
　この発明は円板状の定着部と、該定着部の片側表面に、前記定着部と一体的に直角な六角柱状の突出部を設け、該柱状の突出部に沿ってねじ鉄筋螺着用のねじを、不貫通に穿設し、かつ表面よりねじ孔に連通する充填材注入口を設けてなるねじ定着板を、ねじ鉄筋の端部にねじ込み、前記充填材注入口より充填材をねじ孔に注入し、ねじ定着板を主筋となるねじ鉄筋に固定し、この主筋を直交する主筋内に配筋してなる主筋の定着構造である。
　訂正事項ｆ：明細書【０００９】段落中の「図７」という記載を、明瞭でない記載の釈明を目的として、「図７はこの発明の変形例であり」と訂正する。
　訂正事項ｇ：明細書【００１４】段落中の「図９」という記載を、明瞭でない記載の釈明を目的として、「図９はこの発明の変形例であり」と訂正する。
　訂正事項ｈ：明細書【００３３】段落の記載を、明瞭でない記載の釈明を目的として、次のように訂正する。
　「（２）ねじ孔が貫通されない定着板を使用することによって位置決めが容易であり、ねじ鉄筋の端部にねじ込むと所定位置に停止し、ねじ定着板が梁主筋の引張方向のみならず、圧縮方向にも抵抗する。」
　訂正事項ｉ：明細書【００４０】段落の記載を、明瞭でない記載の釈明を目的として、次のように訂正する。
　「（９）接合部内のフープ筋の配筋を容易にする。さらに定着板部は円板状であるので、主筋からの張出し長さが一定で、治まりがよい。またねじ部の外形が六角柱状であるので主筋にねじ込む際工具を取付けやすい。」
　全文訂正明細書（補正後）
（５４）【発明の名称】
主筋の定着構造
（５７）【特許請求の範囲】
状の突出部を設け、該柱状の突出部に沿ってねじ鉄筋螺着用のねじを、不貫通に穿設し、かつ表面よりこのねじ孔に連通する充▲填▼材注入口を設けてなるねじ定着板を、
ねじ鉄筋の端部にねじ込み
【発明の詳細な説明】
　　【産業上の利用分野】
　この発明は柱、梁のラーメン構造による鉄筋コンクリート造あるいはプレキャスト鉄筋コンクリート造超高層住棟などにおいて、主筋を定着させるための主筋の定着構造に関するものである。
　　　【０００２】
　　【従来の技術】
　従来、鉄筋コンクリート造の場合、梁主筋を外柱へ定着する方法としては、図１に示すように梁主筋１をＵ型に定着する方法が一般に採用されていた。また図２に示すように梁主筋１をナットと定着板によって定着する方法も用いられていた。さらに図３に示すように梁主筋１の外柱への定着が、完全に段差を有している場合には、梁主筋のＬ型定着、あるいはＵ型定着などの方法が採用されていた。
　　　【０００３】
　プレキャスト鉄筋コンクリートの場合は図５（Ａ）に示すように梁主筋１の端部を曲げ上げ、曲げ上げ状にしたり、図５（Ｂ）に示すように梁主筋１の端部をＵ型アンカー状にする方法が採用されていた。また図６（Ａ）に示すように梁主筋１を曲げ上げ交叉アンカー状にしたり、図６（Ｂ）に示すようにＵ型交叉アンカー状にしたり、図６（Ｃ）に示すように手前アンカー状にしたりする方法が採用されていた。
　　　【０００４】
　　【発明が解決しようとする課題】
　しかしながら、図１に示すＵ型定着の方法では、直交梁の配筋ディテールの点でＵ型鉄筋と直交筋が交叉して配筋できない場合がある。また図２に示すナット２と定着板３によって定着する方法では、ナット部分が柱外側に突出することがあり建築意匠上、好ましくないこと、抵抗する定着方向は内柱側への引張り方向のみであり、その反対方向（外柱側への圧縮）へは抵抗しないこと、コンクリート打設の際、ナット２、定着板３と梁主筋１を何らかの方法で固定する方法があること、などの難点があった。
　　　【０００５】
　さらに梁主筋の外柱への定着が図４に示すように、梁段差が梁成以内の場合には、配筋上、Ｌ型またはＵ型定着は左、右梁主筋相互がぶつかり、配筋が不可能である。このような場合、定着板による配筋が考えられるが、その配置については、具体的なディテールは未だ存在しなかった。
　　　【０００６】
　図５に示すプレキャストコンクリート造、図６に示す鉄筋コンクリート造の場合には、接合部内は折り曲げ筋の配筋のため、繁雑となる。また折り曲げ筋の定着とする梁主筋の２段配筋は不可能である。さらに柱、梁接合部のフープ筋の配筋が困難である、等の問題点があった。
　　　【０００７】
　この発明は前記事情に鑑み開発されたもので、合理的に接合部内の配筋を行い施工性を改善できる主筋の定着構造を提供することを目的としている。
　　　【０００８】
　　【課題を解決するための手段】
　
円
六角
ねじ鉄筋の端部にねじ込み
　　　【０００９】
　　【実施例】
　以下図示した実施例に基づいて説明する。
図７はこの発明の変形例であり
　　　【００１０】
　梁主筋１としてはねじ鉄筋を使用し、ねじ定着板４のねじ部６を梁主筋１にねじ込み梁主筋１を貫通させ、充填材注入孔８より高強度無収縮モルタル９をねじ部６と梁主筋１との間に注入し、固定させるものである。
　　　【００１１】
　図８は主筋端部固定用のねじ定着板１０を示すものである。ねじ定着板１０は円板状の定着板部１１と、この定着部１１の一側表面中央に六角柱状のねじ部１２を一体的に設けたもので、ねじ部１２から定着板部１１の一部にかけては主筋枢着用のねじ孔１３が穿設してある。また定着板部１１の中央を貫通する充▲填▼材注入孔１４が穿設してあり、この充▲填▼材注入孔１４は前記ねじ孔１３に連通している。
　　　【００１２】
　主筋端部固定用のねじ定着板１０の使用に際しては、梁主筋１の端部にねじ部１２をねじ込み、充▲填▼材注入孔１４より高強度無収縮モルタル９をねじ部１２と梁主筋１との間に注入し、固定させるものである。
　　　【００１３】
　図９乃至図１４は鉄筋コンクリート造においてねじ定着板４、１０を使用した実施例を示す。
　　　【００１４】
　
図９はこの発明の変形例で
　　　【００１５】
　なお記号１６はフープ筋を示し、記号１７は柱、記号１８は梁を示すものである。
　　　【００１６】
　図１０はねじ定着板１０を梁主筋１の引張、圧縮両方向に抵抗させる場合を示したものである。この場合はまず梁主筋１の端部に予めねじ定着板１０をねじ込みセットして仮止めを行い、梁主筋１の端部が柱１７の断面中間部にくるよう配筋する。そしてねじ定着板１０を所定位置に配設し、高強度無収縮モルタル９を充▲填▼材注入孔１４より注入し、ねじ定着板１０を固定させたものである。
　　　【００１７】
　図１１は梁段差を有しかっこの梁段差が梁成内にある場合、梁主筋１の引張方向にねじ定着板１０を抵抗させる実施例を示したものである。
　　　【００１８】
　この実施例では柱１７の左、右より段差をもって配筋される梁主筋１のそれぞれの先端部に、予めねじ定着板１０をセットし仮止めを行い、左、右それぞれの梁主筋１を内側柱主筋１５（それぞれの梁主筋方向からみて）の間を通り、外側柱主筋１５（それぞれの梁主筋方向からみて）間に、その先端部が位置するように配筋する。そしてねじ定着板１０を外側柱主筋１５間の所定位置に配設する。しかる後、高強度無収縮モルタル９を充▲填▼材注入孔１４より注入し、ねじ定着板１０を固定させたものである。
　　　【００１９】
　図１２は梁段差を有しかつこの梁段差が梁成内にある場合、梁主筋１の引張、圧縮両方向にねじ定着板４及びねじ定着板１０でもって抵抗させる実施例を示したものである。
　　　【００２０】
　この実施例では、柱１７の左、右より段差をもって配筋される梁主筋１のそれぞれの先端部にねじ定着板１０をねじ込みセットし仮止めを行い、さらに一段高い右側の梁における上側梁主筋１には中間部にねじ定着板４をねじ込みセットし仮止めを行い、一段低い左側の梁主筋１にも中間部にねじ定着板４を貫通してねじ込みセットして仮止めを行う。そして左、右それぞれの梁主筋１が内側柱主筋１５（それぞれの梁主筋方向からみて）の間を通り、外側柱主筋１５（それぞれの梁主筋方向からみて）間にくるよう配筋し、ねじ定着板１０を外側柱主筋１５間の所定位置に配設し、ねじ定着板４を内側柱主筋１５間の所定位置に配設する。しかる後、ねじ定着板４においては充▲填▼材注入孔８より、またねじ定着板１０においては充▲填▼材注入孔１４よりそれぞれ高強度無収縮モルタル９を注入し固定させたものである。
　　　【００２１】
　図１３、図１４はねじ定着板１０を柱主筋に固定した実施例を示すものである。
　　　【００２２】
　図１３における実施例では、柱脚部分において柱主筋１５の下端部にねじ定着板１０をねじ込み、高強度無収縮モルタル９を充▲填▼材注入孔１４より注入し、ねじ定着板１０を固定させたものである。
　　　【００２３】
　図１４における実施例では、柱頭部分において柱主筋１５の上端部にねじ定着板１０をねじ込み、高強度無収縮モルタル９を充▲填▼材注入孔１４より注入し、ねじ定着板１０を定着させたものである。
　　　【００２４】
　図１５乃至図１９にプレキャスト梁の主筋にねじ定着板１０を使用して柱に定着した実施例を示すものである。
　　　【００２５】
　図１５はプレキャスト梁１９内に梁主筋１を１段配筋した実施例を示すものである。この実施例ではプレキャスト梁１９を外柱１７に跨設し、プレキャスト梁１９内の下側縁寄りに梁主筋１を１段配筋し、さらにプレキャスト梁１９の上端部にコンクリート２０を打設し、このコンクリート２０内に梁主筋１を１段配筋してあり、それぞれの梁主筋１の先端部を外柱１７の外側柱主筋１５間に配設し、ねじ定着板１０をねじ込み、高強度無収縮モルタル９を充▲填▼材注入孔１４より注入し、ねじ定着板１０を固定させたものである。
　　　【００２６】
　図１６はプレキャスト梁１９内に梁主筋１を２段配筋した実施例を示すものである。この実施例ではプレキャスト梁１９を外柱１７に跨設し、プレキャスト梁１９内に梁主筋１を上、下２段に配筋し、さらにプレキャスト梁１９の上端部にコンクリート２０を打設し、このコンクリート２０内に梁主筋１を２段配筋してあり、それぞれの梁主筋１の先端部を外柱１７の外側柱主筋１５間に配設し、ねじ定着板１０をねじ込み、高強度無収縮モルタル９を充▲填▼材注入孔１４より注入し、ねじ定着板１０を固定させたものである。
　　　【００２７】
　図１７は内柱１７の交叉部に適用した実施例を示すものである。この実施例ではプレキャスト梁１９を内柱１７間に跨設し、一方のプレキャスト梁１９と、内柱１７を挟んで跨設した他方のプレキャスト梁１９’の内部にそれぞれ梁主筋１を１段配筋し、これら主筋１の先端部はそれぞれ反対より柱主筋１５の間を通り、その先端部は内柱１７の幅方向中央部に配設されている。そして梁主筋１のそれぞれの先端部にはねじ定着板１０をねじ込み、高強度無収縮モルタル９を充▲填▼材注入孔１４より注入し、内柱１７の幅中央部においてねじ定着板１０を対向的に固定させてある。またプレキャスト梁１９の上端部にコンクリート２０を打設し、コンクリート２０内に梁主筋１を配筋し、梁主筋１は内柱１７を挿通し、反対側のコンクリート２０’内に連通させたものである。
　　　【００２８】
　図１８は段差を有するプレキャスト梁１９に使用した場合であり、梁主筋１の定着長さを充分に確保した実施例を示すものである。
　　　【００２９】
　この実施例ではプレキャスト梁１９を段差を有して内柱１７を挟持するよう跨設し、一方のプレキャスト梁１９と、内柱１７を挟んで反対側に跨設した他方のプレキャスト梁１９’の内部にそれぞれ梁主筋１を配筋し、梁主筋１は柱主筋１５の間を通り、その先端は内柱１７におけるそれぞれの反対側面寄りに配筋した柱主筋１５間に配設されている。そして梁主筋１のそれぞれの先端部にはねじ定着板１０をねじ込み、高強度無収縮モルタル９を充▲填▼材注入孔１４より注入し、ねじ定着板１０を固定させてある。またプレキャスト梁１９と内柱１７を挟んで反対側に跨設したプレキャスト梁１９’のそれぞれの上端部にコンクリート２０，２０’を打設し、このコンクリート２０，２０’内に梁主筋１を配筋し、この梁主筋１は柱主筋１５の間を通り、その先端は内柱１７におけるそれぞれの反対側面寄りに配筋した柱主筋１５間に配設され、先端にはねじ定着板１０をねじ込み、充▲填▼材注入口１４より高強度無収縮モルタル９を注入し固定させてある。
　　　【００３０】
　図１７はプレキャスト梁１９において、従来の梁主筋定着法と併用した外柱への梁主筋定着の実施例を示すものである。この実施例ではプレキャスト梁１９を外柱１７に跨設し、プレキャスト梁１９内の下端縁寄りに梁主筋１を１段配筋し、この梁主筋１の先端部を外柱１７の外側柱主筋１５間に配設し、先端部にはねじ定着板１０をねじ込み、高強度無収縮モルタル９を充▲填▼材注入孔１４より注入し、ねじ定着板１０を固定させてある。またプレキャスト梁１９の上端部にコンクリート２０を打設し、このコンクリート２０内に梁主筋１を１段配筋し、この梁主筋１の先端は外柱１７において外側の柱主筋１５に沿って下方向にＬ型に折曲して定着したものである。
　　　【００３１】
　　【発明の効果】
　この発明は以上の構成からなっているので以下の効果を有する。
　　　【００３２】
　（１）梁主筋の先端に取付けたねじ定着板が柱主筋間に配設されるので、柱外側に突出することがない。
　　　【００３３】
　
（２）ねじ孔が貫通されないねじ定着板を使用することによって、位置決めが容易であり、ねじ鉄筋の端部にねじ込むと所定位置に停止し、ねじ定着板が梁主筋の引張方向のみならず、圧縮方向にも抵抗する。
　　　【００３４】
　（３）ねじ定着板は定着板部とねじ部とが一体的に形成され、かつねじ部に連通して充▲填▼材注入孔が穿設してあり、梁主筋との間に高強度無収縮モルタルなどの充▲填▼材を注入し固定するような構成からなっているので、コンクリート打設の際にも強固に固定され、ずれる恐れがない。
　　　【００３５】
　（４）梁段差が梁成内にある場合でも容易かつ確実に梁主筋を配筋することができる。
　　　【００３６】
　（５）梁段差が梁成内にある場合において、引張方向のみならず圧縮方向にも有効に梁主筋を配筋することができる。
　　　【００３７】
　（６）梁主筋の定着に際しても容易かつ強固に定着することができる。
　　　【００３８】
　（７）プレキャスト梁において合理的に接合部内の配筋を行ない、配筋、梁部材の落とし込み、コンクリート打設等の施工性を改善できる。
　　　【００３９】
　（８）プレキャスト梁主筋の２段配筋を可能とする。
　　　【００４０】
　
（９）接合部内フープ筋の配筋を容易とする。さらに定着板部は円板状であるので、主筋からの張り出し長さが一定で、治まりがよい。またねじ部の外形が六角柱状であるので主筋にねじ込む際に工具を取付けやすい。
【図面の簡単な説明】
　【図１】
　従来のＵ型梁主筋定着法を示した縦断面図である。
　【図２】
　従来のナット、定着板による定着法を示した縦断面図である。
　【図３】
　段差が梁成以上の場合の梁段差における、従来の梁主筋Ｕ型及びＬ型定着法を示した縦断面図である。
　【図４】
　段差が梁成以内の場合の段差梁における、従来の梁主筋Ｕ型定着法を示した縦断面図である。
　【図５】
　従来のプレキャスト梁と柱の接合法で、（Ａ）は梁主筋の端部を曲げ上げ状にした図であり、（Ｂ）は梁の端部をＵ型アンカー状にした図である。
　【図６】
　（Ａ）は、梁主筋１を曲げ上げ交叉アンカー状にした図であり、（Ｂ）は、Ｕ型交叉アンカー状にした図であり、（Ｃ）は、手前アンカー状にした図である。
　【図７】
　梁主筋の主に端部に固定するねじ定着板の使用状態を示すもので、（Ａ）は正面図、（Ｂ）はＢ−Ｂ矢視断面図、（Ｃ）は背面図、（Ｄ）は縦断面図である。
　【図８】
　梁主筋の引張方向にねじ定着板を抵抗させる場合の柱、梁の接合部分を示したもので、（Ａ）は横断面図、（Ｂ）は縦断面図である。
　【図９】
　梁主筋の引張、圧縮両方向にねじ定着板を抵抗させる場合の柱、梁の接合部分を示したもので、（Ａ）は横断面図、（Ｂ）は縦断面図である。
　【図１０】
　梁段差が梁成内にあり、梁主筋の引張方向にねじ定着板を抵抗させる場合の柱、梁の接合部を示したもので、（Ａ）は横断面図、（Ｂ）は縦断面図である。
　【図１１】
　柱脚部分において、柱下端部にねじ定着板を固定した状態を示した縦断面図である。
　【図１２】
　柱頭部分において、柱上端部にねじ定着板を固定した状態を示した縦断面図である。
　【図１３】
　プレキャスト梁主筋を１段外柱に定着した場合を示したもので、（Ａ）は横断面図、（Ｂ）は縦断面図である。
　【図１４】
　プレキャスト梁主筋を２段外柱に定着した場合を示したもので、（Ａ）は横断面図、（Ｂ）は縦断面図である。
　【図１５】
　プレキャスト梁主筋を内柱の交叉部に定着した場合を示したもので、（Ａ）は横断面図、（Ｂ）は縦断面図である。
　【図１６】
　段差を有するプレキャスト梁主筋を内柱に定着した場合を示したもので、（Ａ）は横断面図、（Ｂ）は縦断面図である。
　【図１７】
　プレキャスト梁主筋を従来の定着法と併用した場合を示したもので、（Ａ）は横断面図、（Ｂ）は縦断面図である。
　１…梁主筋、２…ナット、３…定着板、４…ねじ定着板、、６…ねじ部、７…ねじ孔、８…充▲填▼材注入孔、９…高強度無収縮モルタル、１０…ねじ定着板、１１…定着板部、１２…ねじ部、１３…ねじ孔、１４…充▲填▼材注入孔、１５…柱主筋、１６…フープ筋、１７…柱、１８…梁、１９…プレキャスト梁、２０…コンクリート。